(57)【要約】【課題】エバポレータユニット及び冷凍配管のメンテナンスを行う際の作業性を向上したドラム式製氷機を提供する。【解決手段】ドラム式製氷機１は、氷片を生成するためのエバポレータユニット１１を備えている。エバポレータユニット１１の内部には、冷凍回路の蒸発器を構成するドラム１４が設けられている。ドラム１４には、エバポレータユニット１１の外部に設けられた圧縮機４１及び凝縮器４２が接続されており、これらの間を冷媒が循環するようになっている。ドラム１４と圧縮機４１及び凝縮器４２とを接続する冷凍配管ユニット２１は、エバポレータユニット１１に固定されており、ドラム式製氷機１に対して、エバポレータユニット１１と冷凍配管ユニット２１とを一体として着脱することが可能となっている。【選択図】図２
2011117696.tif 000002
【特許請求の範囲】
【請求項１】
冷凍回路における蒸発器を有し、前記蒸発器の製氷面に氷を形成するとともに、前記製氷面の前記氷を剥離させて氷片を生成するエバポレータユニットと、
前記エバポレータユニットの外部にそれぞれ設けられ、前記蒸発器と共に前記冷凍回路を構成する圧縮機及び凝縮器と
を備えたドラム式製氷機において、
前記蒸発器、前記圧縮機及び前記凝縮器を順次接続して冷媒の循環経路を形成する冷凍配管の一部は、前記エバポレータユニットに固定されることを特徴とするドラム式製氷機。
【請求項２】
前記エバポレータユニットに固定される前記冷凍配管の前記一部は、前記冷媒が循環する方向において、前記凝縮器の下流側と前記圧縮機の上流側との間の部位である請求項１に記載のドラム式製氷機。
【発明の詳細な説明】
【技術分野】
【０００１】
この発明はドラム式製氷機に係り、特に、ドラム式製氷機のエバポレータユニットを着脱する構成に関する。
【背景技術】
【０００２】
特許文献１には、氷片を生成するための製氷手段（エバポレータユニット）を備えたドラム式製氷機が開示されている。製氷手段は、内部に製氷水が貯められる製氷タンクと、製氷タンク内で回転駆動される製氷ドラムとを有している。製氷ドラムは冷凍回路における蒸発器を構成しており、製氷ドラム内を流通する冷媒と製氷タンク内の製氷水との間で熱交換が行われることによって、製氷ドラムの外周面に層状の氷が形成される。回転する製氷ドラムの氷は、製氷タンクに固定されたカッタで剥離され、それにより、氷片が連続的に生成される。また、製氷ドラムと共に冷凍回路を構成する圧縮機、凝縮器及び膨張弁は製氷手段の外部に設けられており、これらと製氷ドラムとが冷凍配管を介して順次接続されている。
【先行技術文献】
【特許文献】
【０００３】
【特許文献１】特開２００９−１３８９６２号公報
【発明の概要】
【発明が解決しようとする課題】
【０００４】
一般に、特許文献１に記載されているようなドラム式製氷機における冷凍配管は、製氷機本体のフレーム等に支持されており、エバポレータユニットと冷凍配管とが製氷機本体に対して個別に固定された状態となっている。したがって、エバポレータユニットや冷凍配管に対して修理や交換等のメンテナンスを行う場合、エバポレータユニットから冷凍配管を取り外す作業、冷凍配管を製氷機本体から取り外す作業、及びエバポレータユニットを製氷機本体から取り外す作業をそれぞれ製氷機の内部で行いながら、取り外した各部品を製氷機の外部に取り出すことになるため、作業性が悪いという問題点を有していた。
【０００５】
この発明は、このような問題点を解決するためになされたもので、エバポレータユニット及び冷凍配管のメンテナンスを行う際の作業性を向上したドラム式製氷機を提供することを目的とする。
【課題を解決するための手段】
【０００６】
この発明に係るドラム式製氷機は、冷凍回路における蒸発器を有し、蒸発器の製氷面に氷を形成するとともに、製氷面の氷を剥離させて氷片を生成するエバポレータユニットと、エバポレータユニットの外部にそれぞれ設けられ、蒸発器と共に冷凍回路を構成する圧縮機及び凝縮器とを備えたドラム式製氷機において、蒸発器、圧縮機及び凝縮器を順次接続して冷媒の循環経路を形成する冷凍配管の一部は、エバポレータユニットに固定されることを特徴とするものである。
【０００７】
エバポレータユニットに冷凍配管の一部を固定したので、冷凍配管と圧縮機及び凝縮器との接続を解除し、次いで製氷機本体に対するエバポレータユニットの固定を解除すれば、エバポレータユニットと冷凍配管の一部とを一体として製氷機から取り外すことができる。同様に、取り外したエバポレータユニット及び冷凍配管のメンテナンスが終了した後においても、これらを一体として製氷機に取り付けることができる。製氷機本体内で行うべき作業は、製氷機本体に対するエバポレータユニットの着脱、及び圧縮機及び凝縮器に対する冷凍配管の着脱のみとなる。したがって、ドラム式製氷機において、エバポレータユニット及び冷凍配管のメンテナンスを行う際の作業性を向上することができる。
尚、エバポレータユニットに固定される冷凍配管の一部は、冷媒が循環する方向において、凝縮器の下流側と圧縮機の上流側との間に位置する部位であってよい。
【発明の効果】
【０００８】
この発明によれば、ドラム式製氷機において、エバポレータユニット及び冷凍配管のメンテナンスを行う際の作業性を向上することが可能となる。
【図面の簡単な説明】
【０００９】
【図１】この発明の実施の形態１に係るドラム式製氷機におけるエバポレータユニットを示す断面側面図である。
【図２】実施の形態１に係るドラム式製氷機におけるエバポレータユニットを示す斜視図である。
【図３】実施の形態１に係るドラム式製氷機における冷凍回路を説明するための概略図である。
【図４】実施の形態１に係るドラム式製氷機におけるエバポレータユニットを着脱する構成を説明するための斜視図である。
【図５】実施の形態１に係るドラム式製氷機におけるエバポレータユニットの製氷機本体への固定構造を説明するための斜視図である。
【図６】実施の形態１に係るドラム式製氷機におけるエバポレータユニットの製氷機本体への固定構造を説明するための斜視図である。
【発明を実施するための形態】
【００１０】
以下、この発明の実施の形態について添付図に基づいて説明する。
実施の形態１．
図１に、この発明の実施の形態１に係るドラム式製氷機１を示す。尚、ドラム式製氷機１における上下方向及び前後方向を、図１に示す各矢印によって規定する。
ドラム式製氷機１は、氷片を生成するためのエバポレータユニット１１を備えている。エバポレータユニット１１は、一対の側板１２に両側部を支持されたタンク１３を有しており、このタンク１３の内部に所定量の製氷水が貯められている。また、タンク１３の内部には略円筒形状を有するドラム１４が設けられており、ドラム１４の一部が製氷水の水面Ｈ上に露出した状態となっている。ドラム１４の両側部には、側方、すなわち図１の奥行き方向に突出する軸部１４ａがそれぞれ設けられている。軸部１４ａの一方は側板１２を貫通して外部に延出しており、エバポレータユニット１１の側部に設けられたギヤモータ２（図４参照）に接続されている。ドラム１４は、ギヤモータ２によって図１の矢印Ａで示される方向に回転駆動されるようになっている。
【００１１】
ドラム１４は、冷凍回路における蒸発器を構成する部材であって、その内部を冷媒が流通するようになっている。すなわち、エバポレータユニット１１は、タンク１３内の製氷水とドラム１４内を流通する冷媒との間で熱交換を行うことによって、ドラム１４の製氷面である外周面１４ｂに製氷水を着氷させるものである。また、ドラム１４の後方側には、一対の側板１２に支持されたカッタ１５が設けられている。回転駆動されるドラム１４の外周面１４ｂに形成された氷は、カッタ１５によって剥離され、それにより氷片が連続的に生成される。生成された氷片は、後から生成される氷片に押し出されてカッタ１５の後端部から落下する。カッタ１５から落下した氷片は、側板１２の後部に取り付けられたシュート１６に案内され、下方側に設けられた貯氷庫内に貯められる。以上のように構成されるエバポレータユニット１１において、側板１２の前部には、平板状のブラケット１７を介して冷凍配管ユニット２１が固定されている。冷凍配管ユニット２１は、ドラム１４と後述する圧縮機及び凝縮器とを接続するものである。
【００１２】
ここで、図２、３を用いて、冷凍配管ユニット２１の構成について説明する。
図２に概略的に示すように、ドラム式製氷機１は、エバポレータユニット１１の外部に設けられた圧縮機４１と凝縮器４２とを備えており、これらとドラム１４（図１参照）とが冷凍配管ユニット２１を介して接続されている。冷凍配管ユニット２１は、略Ｕ字状に屈曲された主配管２２を有しており、この主配管２２の一方の端部側に圧縮機４１及び凝縮器４２が接続されている。主配管２２の他方の端部側には、エバポレータユニット１１の側部に設けられたフランジ２３を介してドラム１４が接続されている。また、冷凍配管ユニット２１は、図２の丸印で囲んだ部分を拡大図で示すように、主配管２２に係合するフック２８と、フック２８をブラケット１７に締結するボルト２９とを二箇所に設けることによって、エバポレータユニット１１に固定されている。したがって、冷凍配管ユニット２１と、圧縮機４１及び凝縮器４２との接続を解除すれば、エバポレータユニット１１と冷凍配管ユニット２１とを一体としてドラム式製氷機１から取り外すことができるようになっている。
【００１３】
図３に概略的に示すように、冷凍配管ユニット２１の主配管２２は二重管構造を有する部材であって、その内部には、外周側の冷媒供給路２４と内周側の冷媒排出路２５とが形成され、冷媒供給路２４と冷媒排出路２５との間で熱交換を行えるようになっている。冷媒排出路２５の一方の端部２５ａは圧縮機４１に接続されており、他方の端部２５ｂはフランジ２３を介してドラム１４が接続されている。また、圧縮機４１及び凝縮器４２側において、冷媒供給路２４には分岐経路２４ａが接続されており、この分岐経路２４ａに凝縮器４２が接続されている。一方、ドラム１４側において、冷媒供給路２４には分岐経路２４ｂが接続されており、この分岐経路２４ｂに、フランジ２３を介してドラム１４が接続されている。
【００１４】
また、分岐経路２４ｂの途中には、ソレノイドバルブ２６と膨張弁２７とが設けられている。以上のように、圧縮機４１、凝縮器４２、冷凍配管ユニット２１及びドラム１４が接続されることによって、ドラム式製氷機１における冷凍回路３１が構成されている。また、冷凍配管ユニット２１は、冷凍回路３１における冷凍配管の一部、すなわち、凝縮器４２の下流側から圧縮機４１の上流側までを含み、且つソレノイドバルブ２６及び膨張弁２７を含むものとなっている。尚、ソレノイドバルブ２６は、製氷停止時にドラム１４内に残った冷媒を凝縮器４２、及び図示しない受液器に回収するために閉じられる。
【００１５】
次に、図４〜６を用いて、エバポレータユニット１１をドラム式製氷機１の内部に固定する構成について説明する。
図４に示すように、ドラム式製氷機１は、フレーム１ａが配設される平板状の部材であるボトムパネル３を備えている。製氷機本体側であるボトムパネル３の上部には、エバポレータユニット１１から滴下する水滴を受け止めるドレンパン４が配置されており、ドレンパン４内の四箇所に形成された載置部４ａ上にエバポレータユニット１１が載置されるようになっている。また、ボトムパネル３には、各載置部４ａを貫通して上方側に突出するボルト５が設けられている。一方、エバポレータユニット１１の側板１２において、ドレンパン４の載置部４ａに対応する四箇所（内、三箇所は図示されず）には、側方に突出する脚部１２ａが形成されている。図４の丸印で囲んだ部分を拡大図で示すように、脚部１２ａには、ボルト５が挿通される溝部１２ｂが設けられており、脚部１２ａ内に通されたボルト５にワッシャ６及びナット７を組み付けることによって、エバポレータユニット１１がボトムパネル３に固定されるようになっている。すなわち、ボルト５及びナット７は、ドラム式製氷機１におけるねじ部材を構成するものである。
【００１６】
ここで、ドラム式製氷機１における冷凍回路３１の一部を構成し、エバポレータユニット１１のドラム１４と、圧縮機４１及び凝縮器４２とを接続する冷凍配管ユニット２１は、エバポレータユニット１１に固定されている（図２参照）。したがって、エバポレータユニット１１及び冷凍配管ユニット２１に対して修理や交換等のメンテナンスを行う場合、冷凍配管ユニット２１と圧縮機４１及び凝縮器４２との接続を解除し、次いでワッシャ６及びナット７をボルト５から取り外せば、エバポレータユニット１１及び冷凍配管ユニット２１を一体としてドラム式製氷機１から取り外すことができるようになっている。すなわち、エバポレータユニット１１及び冷凍配管ユニット２１のメンテナンスを行う際に、これらを個別に取り外す必要がないため、狭い製氷機内部で行うべき作業工数が削減され、効率よく作業が行えるようになっている。また、エバポレータユニット１１及び冷凍配管ユニット２１を取り付ける場合においても、これらを一体として取り付けることができるため、同様に効率よく作業が行えるようになっている。
【００１７】
側板１２の上部には、側方に突出する支持部１２ｃがそれぞれ一箇所ずつに形成されており、支持部１２ｃには、上方側に開口するねじ穴１２ｄが設けられている。支持部１２ｃは、エバポレータユニット１１を着脱する際に用いられる部位であり、ねじ穴１２ｄには、吊り上げ用のアイボルトが取り付けられるようになっている。尚、支持部１２ｃが形成される位置は、エバポレータユニット１１を吊り上げる際、またはドラム式製氷機１全体を吊り上げる際に、これらが大きく傾くことがないような位置に形成される。
【００１８】
図５に示すように、ボトムパネル３の上面には、前後方向に延在する一対のタンクフレーム３ａが取り付けられており、これらのタンクフレーム３ａ上にドレンパン４が載置されるようになっている。また、ボトムパネル３の上面には、ギヤモータ２が固定されるモータベース３ｂが取り付けられている。タンクフレーム３ａは、ボトムパネル３と、ドラム１４（図１参照）の回転中心軸との距離を増大する効果も備えた補強部材である。これらの距離を増大することにより、ギヤモータ２からボトムパネル３に伝達されるトルク反力が低減され、ドラム式製氷機１の稼動時における振動及び騒音の発生が抑えられるようになっている。
【００１９】
また、図６に示すように、ボトムパネル３の下面には、タンクフレーム３ａ（図５参照）が延在する方向に対して直行するように、一対のボトムフレーム３ｃが取り付けられている。タンクフレーム３ａ及びボトムフレーム３ｃは、図示しない締結具によってボトムパネル３に固定されている。このように、タンクフレーム３ａとボトムフレーム３ｃとを、これらが互いに直行する井桁状に配置するとともに、ボトムパネル３を間に挟んで両部材を直接的に締結することによって、ボトムパネル３の強度が増大された状態となっている。また、ボトムフレーム３ｃは、その底面３ｄとボトムパネル３の底面３ｅとが同一平面上となるように形成されている。したがって、ドラム式製氷機１を設置する際に、ボトムパネル３が支持される面積が増やされた状態となるため、安定した設置を行うことができ、リフト等による移動も支障なく行えるようになっている。
【００２０】
次に、この発明の実施の形態１に係るドラム式製氷機１の動作について説明する。
まず、ドラム式製氷機１における製氷動作について説明する。図１に示されるように、ドラム式製氷機１における冷凍回路３１が作動して冷媒が流通（図３の各矢印参照）すると、タンク１３内の製氷水とドラム１４内の冷媒との間で熱交換が行われ、ドラム１４の外周面１４ｂに層状の氷が形成される。この氷は、ドラム１４が矢印Ａで示す方向に回転して水面Ｈ上に露出すると過冷却されて乾燥した氷となる。ドラム１４はギヤモータ２（図４参照）に駆動されて回転するため、ドラム１４の外周面１４ｂに形成された氷はカッタ１５で剥離されて氷片が生成される。生成された氷片は、後から生成される氷片に押し出されるようにしてカッタ１５上を移動し、カッタ１５の後方側の端部からシュート１６内に滑り落ちる。シュート１６内に滑り落ちた氷片は、下方側に設けられた貯氷庫内に導かれる。
【００２１】
ここで、エバポレータユニット１１は、ボトムパネル３の上面に設けられたタンクフレーム３ａ（図５参照）を介してボトムパネル３に取り付けられているため、ボトムパネル３とドラム１４の回転中心軸との距離は、タンクフレーム３ａの高さ分だけ増大された状態となっている。また、ボトムパネル３の下面には、タンクフレーム３ａと直行するボトムフレーム３ｃ（図６参照）が設けられているため、ボトムパネル３の強度が増大した状態となっている。したがって、ギヤモータ２からボトムパネル３に伝達されるトルク反力に起因して生じる振動や騒音が低減されるとともに、ボトムパネル３及びその周辺の部材の変形や破損が防止された状態となっている。
【００２２】
次に、ドラム式製氷機１に対してエバポレータユニット１１を着脱する方法について説明する。
まず、図３に示される冷凍配管ユニット２１と圧縮機４１及び凝縮器４２との接続が解除される。これらの接続は、主配管２２の端部２５ａと圧縮機４１の上流側とを分離するとともに、及び主配管２２の分岐経路２４ａと凝縮器４２の下流側とを分離することによって解除される。次いで、図４に示される四箇所のボルト５から、ワッシャ６及びナット７を取り外すことによって、ボトムパネル３に対するエバポレータユニット１１の固定が解除される。冷凍配管ユニット２１は、フック２８及びボルト２９（図２参照）によってエバポレータユニット１１に固定されているため、上述のように冷凍配管ユニット２１と圧縮機４１及び凝縮器４２との接続の解除、及びボトムパネル３に対するエバポレータユニット１１の固定の解除を行えば、エバポレータユニット１１及び冷凍配管ユニット２１を一体としてドラム式製氷機１から取り外すことができる。
【００２３】
逆に、エバポレータユニット１１及び冷凍配管ユニット２１を取り付ける場合、まずこれらを一体としてドラム式製氷機１内に配置する。次いで、四箇所でナット７をボルト５に締結することによってエバポレータユニット１１をボトムパネル３に固定し、その後、冷凍配管ユニット２１と圧縮機４１及び凝縮器４２とがそれぞれ接続される。
【００２４】
このように、エバポレータユニット１１に冷凍配管ユニット２１を固定したので、冷凍配管ユニット２１と圧縮機４１及び凝縮器４２との接続を解除し、次いでボトムパネル３に対するエバポレータユニット１１の固定を解除すれば、エバポレータユニット１１と冷凍配管ユニット２１とを一体としてドラム式製氷機１から取り外すことができる。同様に、取り外したエバポレータユニット１１及び冷凍配管ユニット２１のメンテナンスが終了した後においても、これらを一体としてドラム式製氷機１に取り付けることができる。製氷機本体内で行うべき作業は、製氷機本体に対するエバポレータユニット１１の着脱、及び圧縮機４１及び凝縮器４２に対する冷凍配管ユニットの着脱のみとなる。したがって、ドラム式製氷機１において、エバポレータユニット１１及び冷凍配管ユニット２１のメンテナンスを行う際の作業性を向上することができる。
【符号の説明】
【００２５】
１  ドラム式製氷機、３  ボトムパネル（製氷機本体側）、５  ボルト（ねじ部材）、７  ナット（ねじ部材）、１１  エバポレータユニット、１４  ドラム（蒸発器）、２１  冷凍配管ユニット（冷凍配管の一部）、３１  冷凍回路、４１  圧縮機、４２  凝縮器。
【図１】
2011117696.tif 000003
【図２】
2011117696.tif 000004
【図３】
2011117696.tif 000005
【図４】
2011117696.tif 000006
【図５】
2011117696.tif 000007
【図６】
2011117696.tif 000008